(57)【要約】【課題】マガジン内のテープ媒体の有無を自動で識別するテープライブラリ装置を提供する。【解決手段】マガジン１０がライブラリ本体部２０に挿入されるとき、同ライブラリ本体部２０内での同マガジン１０の位置が検出されると共に、光通過孔１４に光を入射して同光の通過／遮断が検出され、これらの検出結果に基づいて各スロット内のテープカートリッジ１１の有無が検出される。この場合、マガジン１０のスロットにテープカートリッジ１１が収納されていれば、光通過孔１４に入射された光が同テープカートリッジ１１により遮断される一方、同テープカートリッジ１１が収納されていないとき、同光が光通過孔１４を通過し、受光回路２５から光検出信号ｒｓが出力される。また、ライブラリ本体部２０内でのマガジン１０の位置が検出され、各スロット内のテープカートリッジ１１の有無が同スロット毎に判定される。【選択図】図１
2009217877.tif 000002
【特許請求の範囲】
【請求項１】
テープ媒体を複数個収納可能なテープ媒体収納マガジンと、
該テープ媒体収納マガジンが挿抜可能に挿入されるライブラリ本体部とを有するテープライブラリ装置であって、
前記テープ媒体収納マガジンは、
前記テープ媒体を収納するための所定数のスロットが前記ライブラリ本体部に対する挿抜方向に一列に配置されているスロット列と、
前記各スロット毎に設けられ、前記テープ媒体が収納されているとき、入射された光が前記テープ媒体により遮断される一方、前記テープ媒体が収納されていないとき、前記光を通過させる光通過孔とを有し、
前記ライブラリ本体部は、
前記テープ媒体収納マガジンが挿入されるとき、前記光通過孔に前記光を入射して該光の通過／遮断を検出し、その検出結果に基づいて前記各スロット内の前記テープ媒体の有無を検出するテープ媒体検出手段が設けられていることを特徴とするテープライブラリ装置。
【請求項２】
テープ媒体を複数個収納可能なテープ媒体収納マガジンと、
該テープ媒体収納マガジンが挿抜可能に挿入されるライブラリ本体部とを有するテープライブラリ装置であって、
前記テープ媒体収納マガジンは、
前記テープ媒体を収納するための所定数のスロットが前記ライブラリ本体部に対する挿抜方向に一列に配置されているスロット列と、
前記各スロット毎に設けられ、前記テープ媒体が収納されているとき、入射された光が前記テープ媒体により遮断される一方、前記テープ媒体が収納されていないとき、前記光を通過させる光通過孔とを有し、
前記ライブラリ本体部は、
前記テープ媒体収納マガジンが挿入されるとき、前記ライブラリ本体部内での該テープ媒体収納マガジンの位置を検出すると共に、前記光通過孔に前記光を入射して該光の通過／遮断を検出し、これらの検出結果に基づいて前記各スロット内の前記テープ媒体の有無を検出するテープ媒体検出手段が設けられていることを特徴とするテープライブラリ装置。
【請求項３】
前記テープ媒体収納マガジンでは、
前記スロット列が、前記ライブラリ本体部に対する挿抜方向と直交する方向にｎ列（ｎ；１以上の整数）配列されていることを特徴とする請求項２記載のテープライブラリ装置。
【請求項４】
前記テープ媒体検出手段は、
前記光通過孔に入射するための前記光を発光する発光素子と、
前記光通過孔を通過した前記光を受光して光検出信号を出力する受光手段と、
前記ライブラリ本体部内での前記テープ媒体収納マガジンの位置を検出して位置検出信号を出力する位置検出手段と、
前記受光手段から出力される前記光検出信号と前記位置検出手段から出力される前記位置検出信号とに基づいて、前記各スロット内の前記テープ媒体の有無を該スロット毎に判定する判定手段と、
該判定手段による判定結果を表示する表示手段とから構成されていることを特徴とする請求項２又は３記載のテープライブラリ装置。
【請求項５】
前記テープ媒体は、
前記光通過孔から入射された光を遮断する形状のテープカートリッジとして構成されていることを特徴とする請求項２、３又は４記載のテープライブラリ装置。
【請求項６】
テープ媒体を複数個収納可能なテープ媒体収納マガジンと、
該テープ媒体収納マガジンが挿抜可能に挿入されるライブラリ本体部とを有するテープライブラリ装置に用いられるテープ媒体検出方法であって、
前記テープ媒体収納マガジンに、前記テープ媒体を収納するための所定数のスロットが前記ライブラリ本体部に対する挿抜方向に一列に配置されているスロット列と、前記各スロット毎に設けられ、前記テープ媒体が収納されているとき、入射された光が前記テープ媒体により遮断される一方、前記テープ媒体が収納されていないとき、前記光を通過させる光通過孔とを設けておき、
前記テープ媒体収納マガジンが挿入されるとき、前記ライブラリ本体部が、前記光通過孔に前記光を入射して該光の通過／遮断を検出し、その検出結果に基づいて前記各スロット内の前記テープ媒体の有無を検出することを特徴とするテープ媒体検出方法。
【請求項７】
テープ媒体を複数個収納可能なテープ媒体収納マガジンと、
該テープ媒体収納マガジンが挿抜可能に挿入されるライブラリ本体部とを有するテープライブラリ装置に用いられるテープ媒体検出方法であって、
前記テープ媒体収納マガジンに、前記テープ媒体を収納するための所定数のスロットが前記ライブラリ本体部に対する挿抜方向に一列に配置されているスロット列と、前記各スロット毎に設けられ、前記テープ媒体が収納されているとき、入射された光が前記テープ媒体により遮断される一方、前記テープ媒体が収納されていないとき、前記光を通過させる光通過孔とを設けておき、
前記テープ媒体収納マガジンが挿入されるとき、前記ライブラリ本体部が、前記ライブラリ本体部内での該テープ媒体収納マガジンの位置を検出すると共に、前記光通過孔に前記光を入射して該光の通過／遮断を検出し、これらの検出結果に基づいて前記各スロット内の前記テープ媒体の有無を検出することを特徴とするテープ媒体検出方法。
【請求項８】
前記テープ媒体収納マガジンでは、
前記スロット列が、前記ライブラリ本体部に対する挿抜方向と直交する方向にｎ列（ｎ；１以上の整数）配列されていることを特徴とする請求項７記載のテープ媒体検出方法。
【請求項９】
前記光通過孔に入射するための前記光を発光する発光素子と、
前記光通過孔を通過した前記光を受光して光検出信号を出力する受光手段と、
前記ライブラリ本体部内での前記テープ媒体収納マガジンの位置を検出して位置検出信号を出力する位置検出手段とを設けておき、
前記受光手段から出力される前記光検出信号と前記位置検出手段から出力される前記位置検出信号とに基づいて、前記各スロット内の前記テープ媒体の有無を該スロット毎に判定する判定処理と、
該判定処理による判定結果を表示する表示処理とを行うことを特徴とする請求項７又は８記載のテープ媒体検出方法。
【請求項１０】
前記テープ媒体として、前記光通過孔から入射された光を遮断する形状のテープカートリッジを用いることを特徴とする請求項７、８又は９記載のテープ媒体検出方法。
【請求項１１】
コンピュータに請求項１乃至５のいずれか一に記載のテープライブラリ装置を制御させるためのテープ媒体検出制御プログラム。
【発明の詳細な説明】
【技術分野】
【０００１】
この発明は、テープライブラリ装置、テープ媒体検出方法及びテープ媒体検出制御プログラムに係り、特に、マガジンに収納されているテープ媒体の有無を確認する必要があるする場合に用いて好適なテープライブラリ装置、テープ媒体検出方法及びテープ媒体検出制御プログラムに関する。
【背景技術】
【０００２】
コンピュータで取り扱う情報量の増加と共に、データのバックアップに使用されるテープライブラリ装置のテープカートリッジ（以下、「媒体」ともいう））の数量も増加している。これに伴い、多量にテープカートリッジを格納可能なテープライブラリ装置の要求が高まり、開発が進められているが、多量のテープカートリッジが使用されるため、起動時にマガジンの各スロットに媒体が入っているのか入っていないのか確認をする作業が必要となる。したがって、現状のテープライブラリ装置では、マガジンが挿入された後、担当者が全てのスロットに対してテープカートリッジが挿入されているか否かを確認している。このため、マガジンに収納されているテープ媒体の有無を自動で識別するテープライブラリ装置が提案されている。
【０００３】
この種の関連する技術としては、たとえば、特許文献１に記載されたカートリッジオートチェンジャーがある。
このカートリッジオートチェンジャーでは、可動部に一対の発光素子及び受光素子が設けられ、マガジンの各収納スロットのカートリッジの有無が検出される。
【０００４】
また、特許文献２に記載されたライブラリ装置では、マガジンが引き出された場合、マガジンの隔壁がセンサと対向する位置にあるときにロック機構でマガジンがロックされ、ロック機構のロックが働いているとき、センサにより当該センサに対向する位置にマガジンが存在するか否かが検出されることにより、マガジンの位置が判別される。
【特許文献１】特開平０９−１９０６６４号公報（要約書、図１）
【特許文献２】特開２００７−２７３００５号公報（要約書、図１）
【発明の開示】
【発明が解決しようとする課題】
【０００５】
しかしながら、上記各文献を含む上記技術では、次のような問題点があった。
すなわち、上記テープライブラリ装置では、マガジンが挿入された後に、各スロットのカートリッジの有無を必ず確認しなければならず、同テープライブラリ装置の運用が可能となる迄に長時間が費やされるという問題点がある。特に、カートリッジの格納数が増えれば増えるほど確認時間が長く掛かるため、確認時間の短縮が必要となっている。
【０００６】
また、特許文献１に記載されたカートリッジオートチェンジャーでは、マガジン内の各スロット内におけるカートリッジの有無を検出するために、マガジンを挿入した後に、可動部をマガジンの各スロットの前面に移動させる必要がある。このため、マガジンをテープライブラリ装置に挿入した後に可動部を動作させて各スロットのカートリッジの有無を識別する必要があり、カートリッジの有無が自動で検出されないという問題点がある。また、このカートリッジオートチェンジャーでは、カートリッジが２列以上並んで実装される構成のマガジンの各スロットのカートリッジ有無が検出されないという問題点がある。
【０００７】
特許文献２に記載されたライブラリ装置では、マガジンの同装置への挿入方向における格納スロット数が増加すれば、同装置内部に設けるセンサの数も増加させる必要があり、現実的ではないという問題点がある。
【０００８】
この発明は、上述の事情に鑑みてなされたもので、マガジンに収納されているテープ媒体の有無を自動で識別するテープライブラリ装置、テープ媒体検出方法及びテープ媒体検出制御プログラムを提供することを目的としている。
【課題を解決するための手段】
【０００９】
上記課題を解決するために、この発明の第１の構成は、テープ媒体を複数個収納可能なテープ媒体収納マガジンと、該テープ媒体収納マガジンが挿抜可能に挿入されるライブラリ本体部とを有するテープライブラリ装置に係り、前記テープ媒体収納マガジンは、前記テープ媒体を収納するための所定数のスロットが前記ライブラリ本体部に対する挿抜方向に一列に配置されているスロット列と、前記各スロット毎に設けられ、前記テープ媒体が収納されているとき、入射された光が前記テープ媒体により遮断される一方、前記テープ媒体が収納されていないとき、前記光を通過させる光通過孔とを有し、前記ライブラリ本体部は、前記テープ媒体収納マガジンが挿入されるとき、前記光通過孔に前記光を入射して該光の通過／遮断を検出し、その検出結果に基づいて前記各スロット内の前記テープ媒体の有無を検出するテープ媒体検出手段が設けられていることを特徴としている。
【００１０】
この発明の第２の構成は、テープ媒体を複数個収納可能なテープ媒体収納マガジンと、該テープ媒体収納マガジンが挿抜可能に挿入されるライブラリ本体部とを有するテープライブラリ装置に用いられるテープ媒体検出方法に係り、前記テープ媒体収納マガジンに、前記テープ媒体を収納するための所定数のスロットが前記ライブラリ本体部に対する挿抜方向に一列に配置されているスロット列と、前記各スロット毎に設けられ、前記テープ媒体が収納されているとき、入射された光が前記テープ媒体により遮断される一方、前記テープ媒体が収納されていないとき、前記光を通過させる光通過孔とを設けておき、前記テープ媒体収納マガジンが挿入されるとき、前記ライブラリ本体部が、前記光通過孔に前記光を入射して該光の通過／遮断を検出し、その検出結果に基づいて前記各スロット内の前記テープ媒体の有無を検出することを特徴としている。
【発明の効果】
【００１１】
この発明の構成によれば、ライブラリ本体部にテープ媒体収納マガジンが挿入されるとき、テープ媒体検出手段により、光通過孔に光が入射されして同光の通過／遮断が検出され、その検出結果に基づいて各スロット内のテープ媒体の有無が検出される。これにより、同マガジンに収納されているテープ媒体の有無を自動で識別でき、ユーザは、ライブラリ本体部２０にマガジン１０を挿入した後、各スロット内毎にテープカートリッジの有無を確認する必要がなくなり、運用開始までの待ち時間を短縮できる。
【発明を実施するための最良の形態】
【００１２】
テープ媒体収納マガジンは、テープ媒体を収納するための所定数のスロットがライブラリ本体部に対する挿抜方向に一列に配置されているスロット列と、各スロット毎に設けられ、テープ媒体が収納されているとき、入射された光が同テープ媒体により遮断される一方、同テープ媒体が収納されていないとき、光を通過させる光通過孔とを有し、ライブラリ本体部は、テープ媒体収納マガジンが挿入されるとき、同ライブラリ本体部内での同テープ媒体収納マガジンの位置を検出すると共に、光通過孔に光を入射して同光の通過／遮断を検出し、これらの検出結果に基づいて各スロット内のテープ媒体の有無を検出するテープ媒体検出手段が設けられているテープライブラリ装置を提供する。
【００１３】
また、この発明では、上記テープ媒体収納マガジンでは、上記スロット列が、上記ライブラリ本体部に対する挿抜方向と直交する方向にｎ列（ｎ；１以上の整数）配列されている。
【００１４】
また、この発明では、上記テープ媒体検出手段は、上記光通過孔に入射するための上記光を発光する発光素子と、上記光通過孔を通過した上記光を受光して光検出信号を出力する受光手段と、上記ライブラリ本体部内での上記テープ媒体収納マガジンの位置を検出して位置検出信号を出力する位置検出手段と、上記受光手段から出力される上記光検出信号と上記位置検出手段から出力される上記位置検出信号とに基づいて、上記各スロット内の上記テープ媒体の有無を同スロット毎に判定する判定手段と、同判定手段による判定結果を表示する表示手段とから構成されている。
【００１５】
また、この発明では、上記テープ媒体は、上記光通過孔から入射された光を遮断する形状のテープカートリッジとして構成されている。
【実施例】
【００１６】
図１は、この発明の一実施例であるテープライブラリ装置の要部の構成を示す図である。  この例のテープライブラリ装置１は、同図に示すように、テープ媒体収納マガジン（以下、「マガジン」ともいう）１０と、ライブラリ本体部２０とから構成されている。
テープ媒体収納マガジン１０は、テープカートリッジ（テープ媒体）１１を複数個収納可能であり、特に、この実施例では、テープカートリッジ１１が存在しないスロット１２や、同テープカートリッジ１１が存在するスロット１３など、複数のテープカートリッジ１１を収納するための所定数のスロットがライブラリ本体部２０に対する挿抜方向に一列に配置されてスロット列が構成されている。
【００１７】
また、このテープ媒体収納マガジン１０では、上記スロット列が、ライブラリ本体部２０に対する挿抜方向と直交する方向に２列配列されている。また、上記各スロット毎に光通過孔１４が設けられている。光通過孔１４は、テープカートリッジ１１が収納されているとき、入射された光が同テープカートリッジ１１により遮断される一方、同テープカートリッジ１１が収納されていないとき、光を通過させる。テープカートリッジ１１は、光通過孔１４から入射された光を遮断する形状で構成されている。
【００１８】
ライブラリ本体部２０は、マガジン投入口２１からマガジン１０が挿抜可能に挿入される。マガジン投入口２１には、二相タコエンコーダ２２と、発光素子２３ａ，２３ｂと受光素子２４ａ，２４ｂとの対が設けられている。二相タコエンコーダ２２は、マガジン１０の挿抜時に同マガジン１０の側面ｓｆと接触して回転するローラ構造を有している。発光素子２３ａ，２３ｂは、マガジン１０の各スロットの光通過孔１４に光を入射する。受光素子２４ａ，２４ｂは、テープカートリッジ１１が収納されていないスロットの光通過孔１４を通過した光を受光する。また、ライブラリ本体部２０は、マガジン１０が挿入されるとき、上記二相タコエンコーダ２２、発光素子２３ａ，２３ｂ及び受光素子２４ａ，２４ｂと相俟って、ライブラリ本体部２０内での同マガジン１０の位置を検出すると共に、同マガジン１０の光通過孔１４に光を入射して、この光の通過／遮断を検出し、これらの検出結果に基づいて上記各スロット内のテープカートリッジ１１の有無を検出する図示しないテープ媒体検出装置が設けられている。
【００１９】
図２は、図１中のライブラリ本体部２０に設けられているテープ媒体検出装置の要部の電気的構成を示すブロック図である。
このテープ媒体検出装置は、同図２に示すように、二相タコエンコーダ２２と、発光素子２３ａ，２３ｂと、受光素子２４ａ，２４ｂと、受光回路２５と、マガジン移動方向検出回路２６と、アップダウンカウンタ２７と、判定回路２８と、メモリ２９と、表示部３０とから構成されている。発光素子２３ａ，２４ｂは、たとえばＬＥＤ（Light Emitting Diode、発光ダイオード）などで構成され、光通過孔１４に入射するための光ｐを出射する。受光素子２４ａ，２４ｂは、たとえばフォトトランジスタなどで構成され、発光素子２３ａ，２３ｂの光ｐを受光して受光信号ｑｓを出力する。受光回路２５は、受光素子２４ａ，２４ｂから受光信号ｑｓ（ｑａ，ｑｂ）が出力されたとき、光検出信号ｒｓ（ｒａ，ｒｂ）を出力する。
【００２０】
二相タコエンコーダ２２は、同二相タコエンコーダ２２が有する図示しないローラの回転量ｃｓをアップダウンカウンタ２７に出力すると共に、同回転量ｃｓをマガジン移動方向検出回路２６に出力する。マガジン移動方向検出回路２６は、二相タコエンコーダ２２から出力される回転量ｃｓに基づいてマガジン１０の移動方向を検出し、方向切り替え信号ｄｓを出力する。アップダウンカウンタ２７は、回転量ｃｓ及び方向切り替え信号ｄｓに基づいて、ライブラリ本体部２０内でのマガジン１０の現在位置を検出して位置検出信号ｐｓを出力する。  判定回路２８は、たとえば、図示しないＣＰＵ（中央処理装置）や、同ＣＰＵを動作させるためのテープ媒体検出制御プログラムが記録されたＲＯＭ（Read Only Memory）などを有し、受光回路２５から出力される光検出信号ｒｓとアップダウンカウンタ２７から出力される位置検出信号ｐｓとに基づいて、各スロット内のテープカートリッジ１１の有無を同スロット毎に判定して判定結果ｔｓを出力する。メモリ２９は、たとえばＲＡＭ（Random Access Memory）で構成され、判定結果ｔｓを記憶する。表示部３０は、たとえば液晶表示装置などで構成され、メモリ２９に記憶されている判定結果ｔｓの内容を表示する。
【００２１】
図３は、図１中のマガジン１０がライブラリ本体部２０に挿入されるときの動作を説明する図、及び、図４が、タイムチャートである。
これらの図を参照して、この例のテープライブラリ装置に用いられるテープ媒体検出方法の処理内容について説明する。
このテープライブラリ装置１では、マガジン１０がライブラリ本体部２０に挿入されるとき、同ライブラリ本体部２０内での同マガジン１０の位置が検出されると共に、光通過孔１４に光を入射して同光の通過／遮断が検出され、これらの検出結果に基づいて各スロット内のテープカートリッジ１１の有無が検出される。
【００２２】
この場合、マガジン１０のスロットにテープカートリッジ１１が収納されていれば、光通過孔１４に入射された光が同テープカートリッジ１１により遮断される一方、同テープカートリッジ１１が収納されていないとき、同光が光通過孔１４を通過し、受光回路２５から光検出信号ｒｓが出力される。また、ライブラリ本体部２０内でのマガジン１０の位置が検出され、アップダウンカウンタ２７から位置検出信号ｐｓが出力され、判定回路２８により、光検出信号と位置検出信号ｐｓとに基づいて、各スロット内のテープカートリッジ１１の有無が同スロット毎に判定される（判定処理）。この判定処理による判定結果は、表示部３０で表示される（表示処理）。
【００２３】
すなわち、図３に示すように、マガジン１０がライブラリ本体部２０のマガジン投入口２１に挿入されると、同マガジン投入口２１に設けられている二相タコエンコーダ２２のローラ２２ｃが回転し、これに伴い、二相タコエンコーダ２２の内部に設けられている２対のフォトインタラプタ２２ａ，２２ｂが動作し、同フォトインタラプタ２２ａ，２２ｂから出力信号Ａ，Ｂがそれぞれ出力される。出力信号Ａ，Ｂの発生に対応して、アップダウンカウンタ２７から出力される位置検出信号ｐｓに対応したカウント値が上下する。そして、アップダウンカウンタ２７の値が、順次“１０”、“２５”、“４０”、“５５”、“７０”となったとき、受光素子２４，２４で光を検出するか否かにより、各スロット１２，１３内のテープカートリッジ１１の有無が検出される。この場合、テープカートリッジ１１の存在しないスロット１２がマガジン投入口２１を通過するとき、受光素子２４ａ，２４ｂは光を検出する一方、テープカートリッジ１１が存在するスロット１３がマガジン投入口２１を通過するとき、受光素子２４ａ，２４ｂは光を検出しない。
【００２４】
受光回路２５では、受光素子２４ａ，２４ｂから受光信号ｑｓ（ｑａ，ｑｂ）が出力されたとき、光検出信号ｒｓ（ｒａ，ｒｂ）が出力される。受光素子２４ａが光を検出したとき、受光回路２５からの光検出信号ｒａは“Ｈｉｇｈ”（高レベル）、また、受光素子２４ｂが光を検出しないとき、受光回路２５からの光検出信号ｒｂが“Ｌｏｗ”（低レベル）となる。判定回路２８では、受光回路２５からの光検出信号ｒａ，ｒｂが“Ｈｉｇｈ”か“Ｌｏｗ”かによって、各スロット１２，１３にテープカートリッジ１１があるか否かを判定し、判定結果ｔｓをメモリ２９に格納する。メモリ２９に記憶されている判定結果ｔｓの内容は、表示部３０に表示される。これらの動作が一度のマガジン１０の挿入時に行われ、各スロット内のテープカートリッジの有無がユーザに認識される。
【００２５】
以上のように、この実施例では、ライブラリ本体部２０にマガジン１０を挿入するだけで、マガジン１０の各スロットにテープカートリッジ１１が挿入されているか否かが自動で識別される。また、マガジン１０の機構が、手前と奥とにテープカートリッジが２巻以上並んで配置されるようになっている場合でも、手前のテープカートリッジを一度抜く、もしくは手前のテープカートリッジを押すなどの作業をすることなく、奥側のテープカートリッジの有無が識別される。また、マガジン１０を挿入したか引き出したか、又は途中でマガジン１０が止まっても、その状態から再度マガジン１０を挿入しても、間違いなくカートリッジの有無が識別される。また、ユーザは、ライブラリ本体部２０にマガジン１０を挿入した後、各スロット内毎にテープカートリッジの有無を確認する必要がなくなり、運用開始までの待ち時間が短縮される。
【００２６】
また、ライブラリ本体部２０のマガジン投入口２１に二相タコエンコーダ２２が配置され、同ライブラリ本体部２０内での同マガジン１０の位置が検出されるようになっているので、テープライブラリ装置のマガジン投入口にテープライブラリ装置でのマガジンの位置を算出する機構が設けられているので、マガジン１０内の挿入方向でのスロット数が増加しても、発光素子２３ａ，２３ｂと受光素子２４ａ，２４ｂとの対を増加させる必要がない。
【００２７】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記実施例では、マガジン１０において、上記スロット列が、ライブラリ本体部２０に対する挿抜方向と直交する方向に２列配列されているが、３列以上でも良い。この場合、列の数に応じて、発光素子及び受光素子の組を設ける必要がある。また、二相タコエンコーダ２２に代えて、たとえば、マガジン１０の長手方向とマガジン投入口２１にラックアンドピニオンの機構を設け、アップダウンカウンタ２７と連動させる構成としても良い。
【産業上の利用可能性】
【００２８】
この発明は、多数のテープ媒体を収納可能なテープ媒体収納マガジン１０が挿入されるテープライブラリ装置全般に適用できる。
【図面の簡単な説明】
【００２９】
【図１】この発明の一実施例であるテープライブラリ装置の要部の構成を示す図である。
【図２】図１中のライブラリ本体部２０に設けられているテープ媒体検出装置の要部の電気的構成を示すブロック図である。
【図３】図１中のマガジン１０がライブラリ本体部２０に挿入されるときの動作を説明する図である。
【図４】図１中のマガジン１０がライブラリ本体部２０に挿入されるときの動作を説明するタイムチャートである。
【符号の説明】
【００３０】
１      テープライブラリ装置
１０      テープ媒体収納マガジン（マガジン）
１１      テープカートリッジ（テープ媒体）
１２，１３      スロット（スロット列の一部）
１４      光通過孔
２０      ライブラリ本体部
２１      マガジン投入口
２２      二相タコエンコーダ（テープ媒体検出手段の一部）
２３ａ，２３ｂ      発光素子（テープ媒体検出手段の一部）
２４ａ，２４ｂ      受光素子（テープ媒体検出手段の一部、受光手段の一部）
２５      受光回路（テープ媒体検出手段の一部、受光手段の一部、位置検出手段の一部）
２６      マガジン移動方向検出回路（テープ媒体検出手段の一部、位置検出手段の一部）
２７      アップダウンカウンタ（テープ媒体検出手段の一部、位置検出手段の一部）
２８      判定回路（テープ媒体検出手段の一部、判定手段）
２９      メモリ（テープ媒体検出手段の一部、表示手段の一部）
３０      表示部（テープ媒体検出手段の一部、表示手段の一部）
【図１】
2009217877.tif 000003
【図２】
2009217877.tif 000004
【図３】
2009217877.tif 000005
【図４】
2009217877.tif 000006